(57)【特許請求の範囲】
【請求項１】
底壁に、切断溝を刻設して除去部を区画し、切断溝を切断することにより除去部を除去して底壁に注出口を形成する射出成形による抜栓式キャップにおいて、
除去部は上面に支柱を介してプルリングが設けられ、
プルリングの上部の中央付近から外側の間は、外側下方に向かい湾曲しており、
プルリングには、上部の中央より外側に設定される上部設定部および下部の下端部中央に沿ってパーティングラインが形成されることを特徴とする抜栓式キャップ。
【請求項２】
プルリングの上部設定部および下端部中央付近の断面形状は、湾曲していることを特徴とする請求項１に記載の抜栓式キャップ。
【請求項３】
プルリングの上部の中央付近から内側下方に向かい緩やかに湾曲する指当接部が形成されていることを特徴とする請求項１または２に記載の抜栓式キャップ。
【請求項４】
プルリングの支柱の反対側には、下方に延びるとともに漸次薄肉に形成される指掛け舌部が設けられていることを特徴とする請求項１〜３のいずれかに記載の抜栓式キャップ。
【請求項５】
射出成形の金型は、底壁の上方を形成する上部コアと上部筒状コアを具え、
上部コアの外周面の所定の箇所には、プルリングの上部設定部から下端部中央まで、プルリングの内側を形成するプルリング内側形成凹部と、支柱の内側を形成する支柱内側形成凹部が凹設され、
上部筒状コアの内周面の所定の箇所には、プルリングの上部設定部から下端部中央まで、プルリングの外側を形成するプルリング外側形成凹部が凹設されていることを特徴とする請求項１〜４のいずれかに記載の抜栓式キャップ。
【発明の詳細な説明】
【技術分野】
【０００１】
本発明は、抜栓式キャップ、特にプルリングを有する抜栓式キャップに関するものである。
【背景技術】
【０００２】
底壁に、切断溝を刻設して除去部を区画し、除去部の上面に、支柱を介してプルリングを設け、プルリングを引張ることで、切断溝を切断して除去部を除去し、底壁に注出口を形成する抜栓式キャップは、従来から知られている（例えば、特許文献１参照）。
また、一般的にプルリングと支柱は、成形金型として、筒状の上部筒状コアと上部筒状コアの内周で上下方向に移動可能な上部コアとから形成される空間に樹脂を流し込み、成形される。
【先行技術文献】
【特許文献】
【０００３】
【特許文献１】特開２０１４−１６２５３３号公報
【発明の概要】
【発明が解決しようとする課題】
【０００４】
上記特許文献１などの抜栓式キャップでは、図４に示すように、成形金型により形成される空間に樹脂を充填し成形後、上部筒状コアＣ２から上部コアＣ１を抜く際に、抜けやすくするために、上部筒状コアＣ２の内周にプルリング３０および支柱３１の内周面以外を形成する凹部３２を形成するとともに、上部コアＣ１の外周面でプルリング３０および支柱３１の内周面を形成することにより、プルリング３０および支柱３１を形成する空間を形成している。
【０００５】
しかしながら、上記特許文献１の抜栓式キャップは、上部筒状コアＣ２から上部コアＣ１を簡単に抜くことはできるが、さらに外側の金型（図示せず）から上部筒状コアＣ２を抜く際に、プルリング３０自体と上部筒状コアＣ２の凹部３２との係合が抵抗となるために、簡単に抜けなくなり、さらに、無理に引き抜こうとすると、プルリング３０が切れてしまったり、プルリング３０の外周に傷がついたりしてしまうという問題があった。
【０００６】
また、上部筒状コアＣ２と上部コアＣ１により、プルリング３０の内周の上端３０ａと下端３０ｂにパーティングラインが形成されるため、プルリング３０の内周の上端３０ａと下端３０ｂには成型時にエッジやバリなどが発生し、プルリング３０に指を掛ける際、特に、指がプルリングの上端３０ａのエッジやバリに当たり、指に違和感を感じてしまうという問題があった。
【０００７】
本発明は、上記問題を解決することを課題とし、成型時、上部筒状コアから上部コアを簡単に抜くことができるとともに、プルリング自体も傷つくことなく上部筒状コアを他の金型から簡単に抜くことができ、さらには、プルリングに指を掛ける際の指が当たる部分にパーティングラインが無く、指に違和感を感じたり、傷つけてしまうことがない抜栓式キャップを提供することを目的とする。
【課題を解決するための手段】
【０００８】
本発明は、上記の課題を解決するため、抜栓式キャップとして、底壁に、切断溝を刻設して除去部を区画し、切断溝を切断することにより除去部を除去して底壁に注出口を形成する射出成形による抜栓式キャップにおいて、除去部は上面に支柱を介してプルリングが設けられ、プルリングの上部の中央付近から外側の間は、外側下方に向かい湾曲しており、プルリングには、上部の中央より外側に設定される上部設定部および下部の下端部中央に沿ってパーティングラインが形成されることを特徴とする構成を採用する。
【０００９】
プルリングの実施例として、プルリングの上部設定部および下端部中央付近の断面形状は、湾曲していることを特徴とする構成、または、プルリングの上部の中央付近から内側下方に向かい緩やかに湾曲する指当接部が形成されていることを特徴とする構成、さらに、プルリングの支柱の反対側には、下方に延びるとともに漸次薄肉に形成される指掛け舌部が設けられていることを特徴とする構成を採用する。
【００１０】
射出成形の金型の実施例として、射出成形の金型は、底壁の上方を形成する上部コアと上部筒状コアを具え、上部コアの外周面の所定の箇所には、プルリングの上部設定部から下端部中央まで、プルリングの内側を形成するプルリング内側形成凹部と、支柱の内側を形成する支柱内側形成凹部が凹設され、上部筒状コアの内周面の所定の箇所には、プルリングの上部設定部から下端部中央まで、プルリングの外側を形成するプルリング外側形成凹部が凹設されていることを特徴とする構成を採用する。
【発明の効果】
【００１１】
本発明の抜栓式キャップは、プルリングの上部の中央付近から外側の間は、外側下方に向かい湾曲しており、プルリングの上部の中央より外側に設定される上部設定部および下端部中央にパーティングラインが形成されるので、プルリングに指を掛ける際、指が当たるプルリングの上部内側にパーティングラインが無いので、成型時に発生するエッジやバリなどに指が当たることが無く、指に違和感を感じたり、傷つけてしまうことがない。
【００１２】
プルリングを成形する成形金型の上部コアと上部筒状コアは、上部コアの外周面の所定の箇所に、プルリングの内側を形成するプルリング内側形成凹部を凹設し、上部筒状コアの内周面の所定の箇所に、プルリングの外側を形成するプルリング外側形成凹部が凹設されていることにより、プルリングの内外側で形成し、成形した抜栓キャップから上部コアおよび上部筒状コアを抜く際に、簡単に抜くことができ、さらに不良品の発生を少なくすることができる。
【図面の簡単な説明】
【００１３】
【図１】本発明の抜栓式キャップの断面側面図である。
【図２】金型の要部の説明図で、（ａ）は図１の要部拡大図、（ｂ）は（ａ）の要部拡大図である。
【図３】上部コアを引き抜いた後の説明図で、（ａ）は図１の要部拡大図、（ｂ）は（ａ）の要部拡大図である。
【図４】従来例の説明図である。
【発明を実施するための形態】
【００１４】
次に、本発明の実施形態について、図面を参照して説明する。
図１において、Ａはキャップ本体Ａ１とキャップ本体Ａ１にヒンジＡ２を介して連設される蓋体Ａ３とからなる抜栓式キャップ、Ｂは抜栓式キャップＡを一体成形する成形金型である。
本発明は、キャップ本体Ａ１の抜栓部のプルリングおよび、それを成形する成形金型Ｂに関するものであり、ヒンジＡ２および蓋体Ａ３並びに、それを成形する成形金型の形状、成形方法は、従来から行われているものでよく、詳しい記載は省略する。
【００１５】
キャップ本体Ａ１は、注出筒１と注出筒１内周に連設される底壁２と、注出筒１の外周に連設されるリング状の上壁３と、上壁３上面に立設され、外周上部が蓋体Ａ３を係合する蓋係合筒４と、上壁３外縁に垂設され、内周が容器本体に係合される係合筒５を具えている。
係合筒５の外周上端の所定の位置にはヒンジＡ２が連設され、ヒンジＡ２には、蓋体Ａ３が連設されている。
【００１６】
底壁２には、下面から切断溝６が刻設されており、切断溝６を切断することで底壁２に注出口を形成する除去部７が形成され、除去部７の上面には、支柱８を介してプルリング９が設けられている。
【００１７】
図１、２に示すように、プルリング９の上部（支柱８と反対側）には、中央９ａから外側９ｂの間に上部設定部９ｃが設定されており、上部の内側には、プルリング９に指を掛ける際に指が当接するために中央９ａ付近から内側下方に向かい緩やかに湾曲する指当接部１０が形成されている。
プルリング９の上部の中央９ａ付近から外側９ｂの間は、外側下方に向かい湾曲しており、特に上部設定部９ｃは該湾曲面上に形成されている。
さらに、該湾曲の曲率半径は、指当接部１０より小さく設定されている。
【００１８】
プルリング９の支柱８の反対側には、下方に延びるとともに、漸次薄肉に形成される指掛け舌部１１が配設されている。
また、プルリング９および指掛け舌部１１の下端部は中央を下向きに湾曲しており、湾曲面の中央付近には、プルリング９の下端部中央９ｄおよび指掛け舌部１１の下端部中央１１ａが設定されている。
プルリング９の外側は、エッジを作らない緩やかな湾曲する形状が好ましい。
【００１９】
成形金型Ｂは、キャップ本体Ａ１の注出筒１の内方と底壁２の上方を成形する上部コアＢ１および上部筒状コアＢ２と、図示しないその他のコアおよびキャビティ群で構成されており、抜栓式キャップＡを成形する空間を形成している。
上部コアＢ１と上部筒状コアＢ２以外の金型の構成は、抜栓式キャップＡのその他の部位を形成するために従来から行われているものでよく、詳しい記載は省略する。
また、成形金型Ｂには、図示しない溶融樹脂を導入するためのスプルーと通路が形成されている。
【００２０】
上部コアＢ１は、上部筒状コアＢ２の内周で上下方向に移動可能な金型であり、底面１５で抜栓式キャップＡの除去部７の上面を、外周面１６でプルリング９の内側および支柱８の内側を成形するように形成されている。
【００２１】
上部コアＢ１の外周面１６の所定の箇所には、プルリング９の上部設定部９ｃ付近を上端とし、プルリング９の下端部中央９ｄまたは指掛け舌部１１の下端部中央１１ａまでを下端としてプルリング９の内側を形成するプルリング内側形成凹部１７と、支柱８の内側を形成し、底面１５まで延びる支柱内側形成凹部１８とが凹設されている。
【００２２】
上部筒状コアＢ２は、内周で上部コアＢ１が上下方向に移動可能であるとともに、その他の金型群の所定の箇所の内周で上下方向に移動可能な金型であり、底面２０で抜栓式キャップＡの底壁２の上面を、内周面２１でプルリング９の外側および支柱８の外側を、外周面２２で注出筒１の内側を成形するように形成されている。
【００２３】
上部筒状コアＢ２の内周面２１の所定の箇所には、プルリング９の上部設定部９ｃ付近を上端とし、プルリング９の下端部中央９ｄまたは指掛け舌部１１の下端部中央１１ａまでを下端としてプルリング９の外側を形成するプルリング外側形成凹部２３と、支柱８の外側を形成し、底面２０まで延びる支柱外側形成凹部２４とが凹設されている。
【００２４】
上部コアＢ１のプルリング内側形成凹部１７と上部筒状コアＢ２のプルリング外側形成凹部２３は、プルリング９の上部の中央９ａより外側に設定される上部設定部９ｃから下端の下端部中央９ｄおよび下端部中央１１ａまでを境として区画されており、プルリング９の断面の面積比としては内側となるプルリング内側形成凹部１７の方がプルリング外側形成凹部２３より大きくなっている。
【００２５】
成形金型Ｂは、抜栓式キャップＡを成形後、抜け易くするために、それぞれの内側にある金型が下方に向かい内側に傾斜するように形成されているのが望ましい。
上部コアＢ１と上部筒状コアＢ２は、プルリング９の指当接部１０の上部設定部９ｃ付近から、プルリング９の下端部中央９ｄまたは指掛け舌部１１の下端部中央１１ａまでを成形する箇所も、下方内側に傾斜しているため、プルリング９を形成するパーティグラインが下方に傾斜して成形される。
【００２６】
次に、本発明の抜栓式キャップの成形方法および作用効果について説明する。
成形金型Ｂによって形成される空間に、上部コアＢ１などに設けたスプルーより溶融樹脂を流し込み、抜栓式キャップＡを成形する。
【００２７】
次に、樹脂がある程度冷え、固まってきたら、まず、上部コアＢ１を抜き取る。
その際、上部コアＢ１とともに、上部コアＢ１の外周面１６のプルリング内側形成凹部１７により形成されたキャップ本体Ａ１のプルリング９の内側がプルリング内側形成凹部１７に引掛かって抵抗となり、上方に引張られるが、プルリング９の外側が上部筒状コアＢ２の内周面２１のプルリング外側形成凹部２３に係合しているので、プルリング９は上部コアＢ１のプルリング内側形成凹部１７から簡単に抜け、図３に示すように、上部コアＢ１は抜き取られる。
また、プルリング９の上部内側に、緩やかに湾曲する指当接部１０が形成されていることから、上部コアＢ１が抜けやすくなる。
【００２８】
次いで、上部筒状コアＢ２を抜き取る。
その際、上部筒状コアＢ２とともに、上部筒状コアＢ２の内周面２１のプルリング外側形成凹部２３により形成されたキャップ本体Ａ１のプルリング９がプルリング外側形成凹部２３に引掛かって抵抗となり、上方に引張られる。
本願発明のプルリングは、プルリング外側形成凹部２３に引掛かるのがプルリング９の外側だけであり、引掛かりが少なくなることで、抵抗が少なくなり、上部筒状コアＢ２をプルリング９から簡単に抜き取ることができるので、プルリング９が切れてしまったり、プルリング９の外周に傷がついたりしてしまうことを防止することができる。
また、プルリング９の外側は、エッジを作らない緩やかに湾曲しているので、上部筒状コアＢ２が抜けやすくなり、かつ、上部筒状コアＢ２を抜いたあとにエッジなどが形成されない。
【００２９】
次いで、成形金型Ｂのその他の金型を順次外し、抜栓式キャップＡを成形させるが、詳しい記載は省略する。
【００３０】
抜栓式キャップＡが装着された容器の内容物を使用する際には、まず、抜栓式キャップＡの蓋体Ａ３を開蓋し、プルリング９の支柱８の反対側に指を掛けて引張り、底壁２から除去部７を排除して開口し、容器を傾けて、該開口から出た内容物を注出筒１を介して外に注出する。
【００３１】
本願発明は、上部コアＢ１と上部筒状コアＢ２により形成されるプルリング９のパーティングラインが、上部設定部９ｃ付近と、下端部中央９ｄまたは指掛け舌部１１の下端部中央１１ａに形成される。
除去部７を抜栓するため、プルリング９に指を掛ける際、指がプルリング９の内周に当たることとなるが、指が当たるプルリング９の指当接部１０およびプルリング９の内周にエッジやバリなどがないので、指に違和感や痛みなどを感じさせることがない。
さらに、指で引き上げる際、指を引掛ける指掛け舌部１１内周には、エッジやバリなどが無いので、指に違和感などを感じさせることがなく、プルリング９を引張ることができる。
【００３２】
また、パーティングラインが形成されるプルリング９の上部設定部９ｃと下端部中央９ｄおよび指掛け舌部１１の下端部中央１１ａが湾曲面上に設定されているので、成型時に、上部設定部９ｃ付近と下端部中央９ｄおよび下端部中央１１ａ付近にエッジやバリなどが発生することを防止しているので、指に違和感や痛みなどを感じさせることがない。
【００３３】
前記実施形態では、抜栓式キャップＡを、キャップ本体Ａ１と蓋体Ａ３とがヒンジＡ２を介して連設されるヒンジキャップとしたが、キャップ本体に蓋体が螺合により装着されるねじ式キャップとしてもよい。
金型の上部コアおよび上部筒状コアにより内外側で成形するプルリングの構成であれば、キャップの形状はどのような構成でもよく、キャップのプルリング以外の構成および、それを成形する他の金型の構成は前記実施形態の形状に限定されない。
【産業上の利用可能性】
【００３４】
抜栓式キャップのプルリングを成形する金型の上部コアおよび上部筒状コアを用いて、プルリングの内外側で形成することにより、成形した抜栓キャップから上部コアおよび上部筒状コアを抜く際に、簡単に引き抜くことができ、さらに不良品の発生を少なくことができるとともに、抜栓時にプルリングの指が当たる箇所にエッジおよびバリが無いので、指に違和感や痛みなどがなく、安心して抜栓することができ、各種の抜栓式キャップおよび、その成形に広く利用できる。
【符号の説明】
【００３５】
Ａ        抜栓式キャップ
Ａ１      キャップ本体
Ａ２      ヒンジ
Ａ３      蓋体
Ｂ        成形金型
Ｂ１、Ｃ１  上部コア
Ｂ２、Ｃ２  上部筒状コア
１        注出筒
２        底壁
３        上壁
４        蓋係合筒
５        係合筒
６        切断溝
７        除去部
８、３１  支柱
９、３０  プルリング
９ａ      中央
９ｂ      外側
９ｃ      上部設定部
９ｄ、１１ａ  下端部中央
１０        指当接部
１１        指掛け舌部
１５、２０  底面
１６、２２  外周面
１７        プルリング内側形成凹部
１８        支柱内側形成凹部
２１        内周面
２３        プルリング外側形成凹部
２４        支柱外側形成凹部
３０ａ      上端
３０ｂ      下端
３２        凹部
【図１】
0006384833.tif 000002
【図２】
0006384833.tif 000003
【図３】
0006384833.tif 000004
【図４】
0006384833.tif 000005